(57)【要約】【課題】絵葉書セットの保管と展示の両機能を備え、かつその取り換えが極めて容易にできるものであり、仮設住宅など狭い空間で暮らす人の使用に適した額縁を提供する。【解決手段】額縁１０は、全面に透明ガラス等のカバー板を有していないが、裏板１２と凸状部１１ｄ、１１ｅにより、額縁１０に挿入された絵葉書セットＰＣＳの両端が保持されているので、不用意に絵葉書が落下することはないし、掲示しない絵葉書の保管場所にも困らない。又、全面に透明ガラス等のカバー板を有していないので、絵葉書セットＰＣＳのうち最も表面側の１枚に指で触れることができ、更に上辺に相当する枠がないので、そのまませり上げることで、高齢者でも容易に絵葉書を取り出せる。【選択図】図１
0003176506.tif 000002
【実用新案登録請求の範囲】
【請求項１】
葉書掲示用の額縁であって、左右両側2辺及び下辺に相当する枠を備えるが、上辺に相当する枠が無く、更に前記額縁は、複数枚の葉書の両端を保持するために上下方向に延在する保持部と裏板とを有してなり、前記額縁の上方から前記保持部と前記裏板に沿って、重ねた葉書を挿入可能となっていることを特徴とする葉書掲示用額縁。
【請求項２】
前記額縁の左右両側2辺に相当する枠は、前記額縁内で前記保持部に保持された葉書及び前記裏板の上端より上方に突出しており、且つ前記下辺に相当する枠より下方に突出していることを特徴とする請求項１に記載の葉書掲示用額縁。
【請求項３】
前記額縁の左右両側2辺に相当する枠の上端は、前記額縁内で前記保持部に保持された葉書の上端と略等しい位置であり、且つ前記下辺に相当する枠より下方に突出していることを特徴とする請求項１に記載の葉書掲示用額縁。
【考案の詳細な説明】
【技術分野】
【０００１】
本考案は、葉書掲示用額縁に関する。
【背景技術】
【０００２】
従来から、写真を入れて飾る写真立てや、絵画を入れて飾る額縁等は広く知られているが、額縁等に葉書を入れて飾ることは、あまり行われていなかった。これに対し、セットになった絵葉書を季節や気分で取り変えて、生花の代わりに飾りたいという要請が生じた。
【０００３】
特に、大震災に見舞われた被災地で仮設住宅などに住む人にとっては、散歩中に愛でていた草花、庭で育んでいた木々などを一瞬にして失ってしまったので、その代わりになるものとして、親しんでいた花や実の絵葉書を鑑賞できれば、少なからず心の支えになると期待されている。
【０００４】
ところが、従来の写真立てや額縁に絵葉書を収容する場合、裏蓋を外し、所望の絵葉書を挿入した後、再び裏蓋を閉じるという作業を行わねばならず、特に高齢者にとっては作業がしにくいという問題がある。また、セットになっている残りの絵葉書を別の場所に保管しておく必要があるが、時間が経つとどこに保管したか忘れてしまう恐れもある。
【０００５】
これに対し、特許文献１には、写真を貼った台紙を複数枚収納することが可能な蓋付筐体の蓋の表面に、従来の額縁に相当する台紙収納部を設けてアルバムと額縁とを一体化せしめたものが開示されている。
【先行技術文献】
【特許文献】
【０００６】
【特許文献１】実用新案登録第３０４９９１４号明細書
【考案の概要】
【考案が解決しようとする課題】
【０００７】
しかしながら、特許文献１の構成では、写真を入れ替える場合、蓋付筐体に収容した写真を取り出して、台紙収納部に収容した写真と取り替えなくてはならず、交換作業が煩わしいという問題がある。又、掲示した写真を取り出す場合、案内枠の間隙から写真の上端を摘んで引き出さなくてはならないが、特に高齢者にとってはその作業が困難で、バリアフリーの観点から問題がある。
【０００８】
本考案は、このような従来技術の問題に鑑みなされたもので、絵葉書セットの保管と展示の両機能を備え、かつその取り換えが極めて容易にできるものであり、仮設住宅など狭い空間で暮らす人の使用に適した額縁を提供することを目的とする。
【課題を解決するための手段】
【０００９】
本考案の葉書掲示用の額縁は、葉書掲示用の額縁であって、左右両側2辺及び下辺に相当する枠を備えるが、上辺に相当する枠が無く、更に前記額縁内には複数枚の葉書の両端を保持するために上下方向に延在する保持部と裏板とを有してなり、前記額縁の上方から前記保持部と前記裏板に沿って、重ねた葉書を挿入可能となっていることを特徴とする。
【００１０】
本考案によれば、前記保持部と前記裏板により複数枚の葉書の端が保持されるので、額縁自体が葉書の保管場所を兼ねることとなり、別個に保管場所を設ける必要がなく、特に狭い仮設住宅などで有効である。又、上辺に相当する枠が無いので、細かい作業が困難な高齢者等であっても、葉書の表面に指を当てて上方にせり上げるのみで容易に取り出すことが出来、片手でしかもワンタッチで葉書の抜き出しを行える。季節が過ぎて不要になった葉書は抜き出して、順次額縁内に収容された複数枚の葉書の最も背面側に裏板に沿って挿入するようにすれば、１年後に再び表側に現れることとなり、思い出が失われることがない。
【００１１】
前記額縁の左右両側2辺に相当する枠は、前記額縁内で前記保持部に保持された葉書及び前記裏板の上端より上方に突出しており、且つ前記下辺に相当する枠より下方に突出していると、デザイン性に優れるため好ましい。
【００１２】
或いは、前記額縁の左右両側2辺に相当する枠の上端は、前記額縁内で前記保持部に保持された葉書の上端と略等しい位置であり、且つ前記下辺に相当する枠より下方に突出していると、デザイン性に優れるため好ましい。
【考案の効果】
【００１３】
本考案によれば、絵葉書セットの保管と展示の両機能を備え、かつその取り換えが極めて容易にできるものであり、仮設住宅など狭い空間で暮らす人の使用に適した額縁を提供できる。
【図面の簡単な説明】
【００１４】
【図１】本考案の額縁１０の斜視図であり、葉書セットを挿入する前の状態を示す。
【図２】葉書セットを挿入した状態の額縁１０の斜視図である。
【図３】額縁１０の上端を、葉書セットの挿入方向に見た図である。
【考案を実施するための形態】
【００１５】
以下、図面を参照して、本考案にかかる実施の形態を説明する。図１は、本考案の葉書掲示用の額縁１０の分解図であり、図２は、額縁１０の斜視図である。図３は、額縁１０の上端を、葉書セットの挿入方向に見た図である。図において、額縁１０は、木製又は樹脂製のフレーム１１と、フレーム１１の背面側に取り付けられる裏板１２とからなる。裏板１２は、背面から突出した支え部（不図示）を有するので、組み立てた状態で、支え部により支持されて額縁１０は自立できる。
【００１６】
フレーム１１は、角材をコ字状に組み合わせてなり（一体でも良い）、平行な２つの側枠材（左右両側2辺に相当する枠）１１ａ、１１ｂと、側枠材１１ａ、１１ｂの下端を接続する下枠材（下辺に相当する枠）１１ｃとからなるが、上部は開放している。側枠材１１ａ、１１ｂは、それぞれ対向する内側に、上下に沿って延在する凸状部（保持部）１１ｄ、１１ｅと、凸状部１１ｄ、１１ｅに対して一段下がった（互いに離隔した）段部１１ｆ、１１ｇを有する。図３に示すように、凸状部１１ｄ、１１ｅの間隔Ｗ１は、収容できる絵葉書セットＰＣＳの横幅より狭く、段部１１ｆ、１１ｇの間隔Ｗ２は、収容できる絵葉書セットＰＣＳの横幅にほぼ等しい。一方、裏板１２と凸状部１１ｄ、１１ｅとの間隔Ｔは、収容できる絵葉書セットＰＣＳの最大厚みに等しい。従って、額縁１０の上方から、裏板１２と凸状部１１ｄ、１１ｅに沿って揃えた絵葉書セットＰＣＳを一度に挿入でき、挿入された絵葉書セットＰＣＳの下端は、下枠材１１ｃの上面に当接して係止される。かかる状態で、図２に示すように、挿入された絵葉書セットＰＣＳの両端は、裏板１２と凸状部１１ｄ、１１ｅにより保持される。絵葉書セットＰＣＳの表面は、額縁１０の前面側に露出している。かかる状態で、最も表面側に位置する絵葉書を鑑賞することができる。
【００１７】
一方、絵葉書セットＰＣＳが挿入された状態で、絵葉書セットＰＣＳの上端は、裏板１２の上端の位置に等しくなり、これにより裏板１２が完全に隠れることとなる。又、絵葉書セットＰＣＳの上端（即ち裏蓋１２の上端）は、側枠材１１ａ、１１ｂの上端より距離Δ１だけ低くなっている。更に、下枠材１１ｃの下面は、側枠材１１ａ、１１ｂの下端より距離Δ２だけ高くなっている。Δ１＝Δ２であると好ましい。これにより、バランスのとれたデザインとなっている。側枠材１１ａ、１１ｂ及び下枠材１１ｃの前面内側エッジに沿って、断面円弧状の溝１１ｈが形成されている。尚、裏板１２の下端は、側枠材１１ａ、１１ｂの下端と同じ位置でも良いし、下枠材１１ｃの下面と同じ位置でも良い。製作費を下げるために、裏板１２は表面処理を簡略にし、その端部も切りっぱなしにするのが好ましいが、挿入した絵葉書セットＰＣＳと同じ高さにすることで、裏板１２の面も端部も正面からは全く見えなくなるので美観上好ましい。更に、裏板１２の面に好みの色で背景をつけたいとき、上枠が無いので薄い紙だと時間とともに後ろに垂れてしまうので、これを防ぐには側枠材１１ａ、１１ｂを裏板１２より高くするのがよい。
【００１８】
本考案の額縁１０は、全面に透明ガラス等のカバー板を有していないが、裏板１２と凸状部１１ｄ、１１ｅにより、額縁１０に挿入された絵葉書セットＰＣＳの両端が保持されているので、不用意に絵葉書が落下することはないし、掲示しない絵葉書の保管場所にも困らない。又、全面に透明ガラス等のカバー板を有していないので、絵葉書セットＰＣＳのうち最も表面側の１枚に指で触れることができ、更に上辺に相当する枠がないので、そのまませり上げることで、高齢者でも容易に絵葉書を取り出せる。
【００１９】
絵葉書セットＰＣＳのうち最も表面側の１枚を凸状部１１ｄ、１１ｅに沿って抜き出して、最も背面側に挿入すれば、次に最も表面側に来る絵葉書を鑑賞することができる。これは、ユーザーが季節の移り変わり毎に行うことができる。
【００２０】
本発明の変形例としては、額縁に挿入した絵葉書セットＰＣＳの上端が、側枠材１１ａ、１１ｂの上端の位置と略等しくなっているものがある。或いは、額縁に挿入した絵葉書セットＰＣＳの上端が、側枠材１１ａ、１１ｂの上端の位置よりも上方に突出していても良い。後者の例では、ユーザーが、額縁より突出した絵葉書セットＰＣＳの上端を容易に摘むことができるので、絵葉書セットＰＣＳの交換を容易に行える。それ以外は、図１，２に示す額縁と同様であるので、説明を省略する。
【符号の説明】
【００２１】
１０  額縁
１１  枠
１２  裏板
【図１】
0003176506.tif 000003
【図２】
0003176506.tif 000004
【図３】
0003176506.tif 000005